(57)【要約】  【課題】  バッテリー蓋を閉じた状態においてもリリースレバーの位置を明確にする。  【解決手段】  カメラ１は、扁平な直方体形状の筐体２の第１の主面３に撮像レンズ４が配置され、前記第１の主面３に対向する第２の主面にモニターが配置され、前記第１の主面と前記第２の主面を結ぶ第１の端面６８に、前記第１の主面と前記第２の主面の間に設けたバッテリー収納部６９の開口部６９ａからバッテリー収納部６９へのバッテリー１１１の挿入およびバッテリー収納部６９からのバッテリーの取出しを許容するリリースレバー７１と、前記開口部６９ａを開閉するバッテリー蓋７０と、を備えている。リリースレバー７１は、バッテリー蓋７０を閉じた状態において、バッテリー蓋７０の側部から露出する位置に配置されている。  【選択図】  図１４
2006186491.tif 000002
【特許請求の範囲】
【請求項１】
扁平な直方体形状の筐体の第１の主面に撮像レンズが配置され、前記第１の主面に対向する第２の主面にモニターが配置され、前記第１の主面と前記第２の主面を結ぶ第１の端面に、前記第１の主面と前記第２の主面の間に設けたバッテリー収納部と、該バッテリー収納部の開口部から前記バッテリー収納部へのバッテリーの挿入および前記バッテリー収納部からのバッテリーの取出しを許容するバッテリーリリースレバーと、前記バッテリー挿入口を開閉するバッテリー蓋と、を備え、
前記バッテリーリリースレバーは、前記バッテリー蓋を閉じた状態において、該バッテリー蓋の側部から露出する位置に配置されていることを特徴とする撮像装置。
【請求項２】
前記バッテリーリリースレバーは、一端部に設けたバッテリー係合部が前記バッテリー収納部の開口部の一部を塞ぐ位置と、前記バッテリー収納部の開口部を開放する位置との間でスライド可能に前記第１の端面に取付けられていて、バネ材により前記バッテリー収納部の開口部の一部を塞ぐ位置に付勢されていることを特徴とする請求項１に記載の撮像装置。
【請求項３】
前記バッテリー蓋は、軸により回動可能に前記筐体に取付けられていて前記軸を中心にして一方向に回動させると前記第１の端面上に重なって前記バッテリー収納部の開口部を閉塞し、他方向に回動させると前記バッテリー収納部の開口部を開放して前記第１の端面に設けたストラップ金具に重なって前記バッテリー収納部の開口部を開放した位置に位置決めされることを特徴とする請求項１に記載の撮像装置。
【請求項４】
前記軸は、弾性を有する金属棒で形成されていて、該軸の長さ方向の一端部には、前記バッテリー蓋を一方向に回動させたときに該バッテリー蓋を前記第１の端面に押し付け、前記バッテリー蓋を他方向に回動させたときに該バッテリー蓋を前記ストラップ金具に押し付ける押し付けバネ部が一体に折り曲げ形成されていることを特徴とする請求項３に記載の撮像装置。
【請求項５】
前記バッテリーリリースレバーは、前記バッテリー蓋を閉じた状態で前記バッテリーリリースレバーを前記バネ材の付勢力に抗して押し戻したときに、前記バッテリー蓋に設けたリリースレバー係合部に係合して、該バッテリーリリースレバーのバッテリーリリース方向への移動を阻止するバッテリー蓋係合部を備えていることを特徴とする請求項１に記載の撮像装置。
【請求項６】
前記バッテリーリリースレバーは、前記バッテリー収納部の奥端部に設けられているバッテリー接続端子のバネ力で前記バッテリー収納部の開口部から端部が押出されたバッテリーを更に押出すバッテリー押出面を前記バッテリー係合部に備えていることを特徴とする請求項１に記載の撮像装置。
【請求項７】
バッテリー収納部と、該バッテリー収納部の開口部から前記バッテリー収納部へのバッテリーの挿入および前記バッテリー収納部からのバッテリーの取出しを許容するバッテリーリリースレバーと、前記バッテリー収納部の開口部を開閉するバッテリー蓋と、を備え、
前記バッテリーリリースレバーは、前記バッテリー蓋を閉じた状態において、該バッテリー蓋の側部から露出する位置に配置されていることを特徴とする電子機器。
【請求項８】
部品収納部と、該収納部の開口部から前記収納部への部品の挿入および前記部品収納部からの部品の取出しを許容する部品リリースレバーと、前記部品収納部の開口部を開閉する蓋と、を備え、
前記部品リリースレバーは、前記蓋を閉じた状態において、該蓋の側部から露出する位置に配置されていることを特徴とする電子機器。
【発明の詳細な説明】
【技術分野】
【０００１】
本発明は電子機器、例えばデジタルカメラ（ＤＳＣ）等の撮像装置に関し、特にバッテリー収納部へのバッテリーの挿入やバッテリー収納部からの取出しを許容するバッテリーリリースレバーおよびバッテリー収納部を開閉するバッテリー蓋を改良したものである。
【背景技術】
【０００２】
デジタルカメラ等の撮像装置は、電源としてバッテリーが使用される。前記バッテリーは撮像装置の筐体に設けた開口部からバッテリー収納部内に収納されたのち、バッテリーリリースレバーによってバッテリー収納部から抜け出ることのないようにして、前記開口部をバッテリー蓋で隠蔽するようになっている。（例えば、特許文献１）
【特許文献１】特開平９−２２６８５号公報
【発明の開示】
【発明が解決しようとする課題】
【０００３】
ところで、従来の撮像装置においては、図２３に示すように、バッテリー蓋２０１を閉じたときに、該バッテリー蓋２０１がバッテリーリリースレバー２０２上に重なる構成になっていたために、次に述べるような問題点があった。
（１）撮像装置の筐体２０３のバッテリー収納部２０４の奥行方向の寸法、換言すればバッテリー挿入方向の寸法が前記バッテリー蓋２０１とバッテリーリリースレバー２０２が重なり合う分だけ大きくなってしまう。
（２）バッテリー蓋２０１を閉じた状態においてはバッテリー蓋２０１によってバッテリーリリースレバー２０２が隠蔽された状態になるためにバッテリーリリースレバー２０２の位置が明確でない。
【０００４】
本発明の目的は、バッテリー挿入方向の寸法を少しでも小さくすることのできる撮像装置を提供することにある。
【０００５】
また、本発明の他の目的は、バッテリー蓋を閉じた状態においてもバッテリーリリースレバーの位置を視認することのできる撮像装置等の電子機器を提供することにある。
【課題を解決するための手段】
【０００６】
請求項１の発明は、扁平な直方体形状の筐体の第１の主面に撮像レンズが配置され、前記第１の主面に対向する第２の主面にモニターが配置され、前記第１の主面と前記第２の主面を結ぶ第１の端面に、前記第１の主面と前記第２の主面の間に設けたバッテリー収納部の開口部から前記バッテリー収納部へのバッテリーの挿入および前記バッテリー収納部からのバッテリーの取出しを許容するバッテリーリリースレバーと、前記バッテリー挿入口を開閉するバッテリー蓋と、を備えた撮像装置において、前記バッテリーリリースレバーを、前記バッテリー蓋を閉じた状態において、該バッテリー蓋の側部から露出する位置に配置した。
【０００７】
請求項２の発明は、請求項１の撮像装置において、前記バッテリーリリースレバーを、一端部に設けたバッテリー係合部が前記バッテリー収納部の開口部の一部を塞ぐ位置と、前記バッテリー収納部の開口部を開放する位置との間でスライド可能に前記第１の端面に取付け、バネ材により前記バッテリー収納部の開口部の一部を塞ぐ位置に付勢した。
【０００８】
請求項３の発明は、請求項１の撮像装置において、前記バッテリー蓋を、軸により回動可能に前記筐体に取付け、前記軸を中心にして一方向に回動させると前記第１の端面上に重なって前記バッテリー収納部の開口部を閉塞し、他方向に回動させると前記バッテリー収納部の開口部を開放して前記第１の端面に設けたストラップ金具に重なって前記バッテリー収納部の開口部を開放した位置に位置決めされる構成にした。
【０００９】
請求項４の発明は、請求項３の撮像装置において、前記軸を、弾性を有する金属棒で形成し、該軸の長さ方向の一端部を折り曲げて、前記バッテリー蓋を一方向に回動させたときに該バッテリー蓋を前記第１の端面に押し付け、前記バッテリー蓋を他方向に回動させたときに該バッテリー蓋を前記ストラップ金具に押し付ける押し付けバネ部を一体に形成した。
【００１０】
請求項５の発明は、請求項１の撮像装置において、前記バッテリー蓋を閉じた状態で前記バッテリーリリースレバーを前記バネ材の付勢力に抗して押し戻したときに、前記バッテリー蓋に設けたリリースレバー係合部に係合して、該バッテリーリリースレバーのバッテリーリリース方向への移動を阻止するバッテリー蓋係合部を前記バッテリーリリースレバーに設けた。
【００１１】
請求項６の発明は、請求項１の撮像装置において、前記バッテリー収納部の奥端部に設けられているバッテリー接続端子のバネ力で前記バッテリー収納部の開口部から端部が押出されたバッテリーを更に押出すバッテリー押出面を前記バッテリーリリースレバーのバッテリー係合部に設けた。
【００１２】
請求項７の発明は、バッテリー収納部と、該バッテリー収納部の開口部から前記バッテリー収納部へのバッテリーの挿入および前記バッテリー収納部からのバッテリーの取出しを許容するバッテリーリリースレバーと、前記バッテリー収納部の開口部を開閉するバッテリー蓋と、を備えた電子機器において、前記バッテリーリリースレバーを、前記バッテリー蓋を閉じた状態において、該バッテリー蓋の側部から露出する位置に配置した。
【００１３】
請求項８の発明は、部品収納部と、該収納部の開口部から前記収納部への部品の挿入および前記部品収納部からの部品の取出しを許容する部品リリースレバーと、前記部品収納部の開口部を開閉する蓋と、を備えた電子機器において、
前記部品リリースレバーを、前記蓋を閉じた状態において、該蓋の側部から露出する位置に配置した。
【発明の効果】
【００１４】
（１）請求項１の撮像装置は、バッテリーリリースレバーとバッテリー蓋を非重合状態に配置したので、従来のバッテリーリリースレバーとバッテリー蓋を重ね合わせた状態に配置する場合に比べて、重ね合わせ方向の幅を小さくすることができる。また、バッテリー蓋を閉じた状態においてもバッテリーリリースレバーがバッテリー蓋の側方に露出した状態になっているためにバッテリーリリースレバーの存在が確認し易いものになる。
（２）請求項２の撮像装置は、バッテリーリリースレバーをバネ材の付勢力に抗して押し戻してバッテリーをバッテリー収納部に収納して、バッテリーリリースレバーの押戻力を解除すると、バッテリーリリースレバーは前記バネ材の付勢力で自動的に前記開口部の一部を塞ぐ位置に復帰して、バッテリーがバッテリー収納部から抜け出るのを防止する。
（３）請求項３の撮像装置は、バッテリー蓋を開いて行くと、該バッテリー蓋はストラップ金具に重なって、開き角度が規制されるとともに、前記それ以上、開くことがないようにされて保護される。
（４）請求項４の撮像装置は、バッテリー蓋を閉じた状態あるいは開いた状態に維持するバネ材を前記バッテリー蓋を回動可能に筐体に取り付けている回転軸の一端部を折り曲げることにより、前記回転軸と一体に形成したので、前記回転軸と部ッ体のバネ材を使用して、バッテリー蓋を閉じた状態あるいは開いた状態に維持する場合に比べて部品点数を少なくして製品コストを安くすることができる。
（５）請求項５の撮像装置は、バッテリー蓋を閉じた状態において、誤って前記バッテリーリリースレバーに押し戻し方向の力が作用した場合でも、バッテリーリリースレバーに設けたバッテリー蓋係合部がバッテリー蓋に設けたリリースレバー係合部に係合して、バッテリーリリースレバーのバッテリーリリース方向への移動するのを阻止することができる。
（６）請求項６の撮像装置は、バッテリーリリースレバーのバッテリー係合部に設けたバッテリー押出面でバッテリーを押出して、バッテリーをバッテリー収納部から引抜き易くすることができる。
（７）請求項７の電子機器は、バッテリーリリースレバーとバッテリー蓋を非重合状態に配置したので、従来のバッテリーリリースレバーとバッテリー蓋を重ね合わせた状態に配置する場合に比べて、重ね合わせ方向の幅を小さくすることができる。また、バッテリー蓋を閉じた状態においてもバッテリーリリースレバーがバッテリー蓋の側方に露出した状態になっているためにバッテリーリリースレバーの存在が確認し易いものになる。
（８）請求項８の電子機器は、部品リリースレバーと蓋を非重合状態に配置したので、従来の部品リリースレバーと蓋を重ね合わせた状態に配置する場合に比べて、重ね合わせ方向の幅を小さくすることができる。また、蓋を閉じた状態においても部品リリースレバーが蓋の側方に露出した状態になっているために部品リリースレバーの存在が確認し易いものになる。
【発明を実施するための最良の形態】
【００１５】
以下、本発明の撮像装置を、（１）撮像装置全体の概略構成、（２）筐体の構成、（３）バリヤの構成、（４）ローラの構成、（５）バリヤスライドガイド部の構成、（６）トグルバネの構成、（７）バッテリー収納部の蓋の構成、（８）バッテリーリリースレバーの構成、（９）ストラップ金具の構成、（１０）バッテリー蓋およびバッテリーリリースレバーの作用、（１１）他の実施例、の順に説明する。
（１）撮像装置全体の概略構成、
図１Ａ、図１Ｂは本発明の撮像装置としてのデジタルカメラを第１の主面（正面）側から見た斜視図、図２は本発明のデジタルカメラを第２の主面（裏面）側から見た斜視図である。
【００１６】
前記デジタルカメラ１は、前記扁平な直方体形状の筐体２の第１の主面３に臨んで撮像レンズ４と、オートフォーカス用の補助光を発光させるためのＡＦイルミネータ５と、フラッシュ用の発光部６が配置されていて、図１Ａに示す前記撮像レンズ４、ＡＦイルミネータ５、フラッシュ用の発光部６を露出させる第１の位置と、図１Ｂに示す前記撮像レンズ４、ＡＦイルミネータ５、フラッシュ用の発光部６を隠蔽する第２の位置の間で移動可能なバリヤ（レンズカバー）７を備えている。前記筐体２の第１の主面３からは、前記筐体２に収容したアイリス駆動機構８の一部が突出している。
【００１７】
図１Ａに示すように、前記バリヤ７が前記第１の位置に在るときに該バリヤ７で隠蔽される位置で、かつ図１Ｂに示すように、前記バリヤ７が前記第２の位置に在るときにも該バリヤ７で隠蔽される位置に前記アイリス駆動機構８の一部が突出している。
【００１８】
前記バリヤ７は、略矩形状に形成されていて、四隅部には、前記筐体２の第１の主面３に接触する第１〜第４のローラ１１〜１４が設けられていると共に、移動方向の両側部には一対の第１,第２のバリヤスライドガイド部１５、１６が配置されている。そして、前記バリヤ７は、前記第１〜第４のローラ１１〜１４と第１,第２のバリヤスライドガイド部１５、１６とによって、前記筐体２の第１の主面３上を前記第１の位置と前記第２の位置の相互で移動するようになっている。
【００１９】
前記第１のバリヤスライドガイド部１５は、次の筐体の構成の項で詳しく説明するように、筐体２側に設けた第１のバリヤ係合体２５と、バリヤ側に設けられていて前記第１のバリヤ係合体２５がスライド可能に重合するレール状の第１のバリヤ係合体係合部９１と、からなっている。また、前記第２のバリヤスライドガイド部１６は、前記第１のバリヤスライドガイド部１５と同様に、前記筐体２側に設けた第２のバリヤ係合体２６と、バリヤ側に設けられていて前記第２のバリヤ係合体２６がスライド可能に重合するレール状の第２のバリヤ係合体係合部９２と、からなっている。
【００２０】
前記バリヤ７は、前記第１の位置に在るときには、図１Ａに示すように、バリヤ付勢バネ（以下、トグルバネと称する）１７のバネ力で前記第１,第２のバリヤ係合体２５、２６に前記レール状の第１,第２のバリヤ係合体係合部９１,９２の一端側に設けた第１のストッパー部１８が押し付けられて前記撮像レンズ４、ＡＦイルミネータ５、フラッシュ用の発光部６を露出させた状態に維持される。また、前記第２の位置に在るときには、図１Ｂに示すように、前記トグルバネ１７のバネ力で前記第１,第２のバリヤ係合体２５,２６に前記レール状の第１,第２のバリヤ係合体係合部９１,９２の他端側に設けた第２のストッパー部１９が押し付けられて前記撮像レンズ４、ＡＦイルミネータ５、フラッシュ用の発光部６および前記アイリス駆動機構８の一部を隠蔽した状態に維持される。
【００２１】
また、前記第１の主面３と前記第２の主面５１を結ぶ第３の端面（右側端面）６８には、前記筐体２内のバッテリー収納部６９の開口部を開閉するバッテリー蓋７０と、前記バッテリー収納部６９へのバッテリーの挿入および前記バッテリー収納部６９からバッテリーの抜去を許容するバッテリーリリースレバー７１と、前記バッテリー蓋７０を開いたときに該バッテリー蓋７０が重なるストラップ金具７２と、マルチコネクター接続端子７３と、電源釦７４が設けられている。前記バッテリーリリースレバー７０は、前記バッテリー蓋６９の側方に、該バッテリー蓋６９と非重合状態に配置されている。
（２）筐体の構成、
図３は前記バリヤ７を取外した状態を示し、前記扁平な直方体形状の筐体２の第１の主面３の上端側の一隅部に臨んで撮像レンズ４が配置され、該撮像レンズ４の一側部にはＡＦイルミネータ５とフラッシュ用の発光部６が配置されている。
【００２２】
前記撮像レンズ４、ＡＦイルミネータ５、フラッシュ用の発光部６の下方にはベースプレート２１が取付けられている。前記ベースプレート２１には第１の開口部２２が設けられていて、該第１の開口部２２内に前記アイリス駆動機構８の一部が収容されている。また、前記ベースプレート２１には第２の開口部２３が設けられていて、該第２の開口部２３内には前記バリヤ７が前記第１の位置に在るか、或いは前記第２の位置に在るかを検出するために前記筐体２内に設けられているバリヤ位置検出スイッチ（図示省略）を操作するためのスイッチ操作体２４が配置されている。また、前記ベースプレート２１の両側部には、前記第１,第２のバリヤスライドガイド部１５、１６を構成する一対の第１,第２のバリヤ係合体２５，２６が設けられている。
【００２３】
図４の分解斜視図に示すように、前記ベースプレート２１には、前記第１,第２の開口部２２,２３の両側部に、前記第１,第２のバリヤ係合体２５，２６を取付けるための第１,第２のバリヤ係合体取付部３１,３２が設けられている。これら第１,第２のバリヤ係合体取付部３１,３２には、複数のボス部３３が設けられている。
【００２４】
前記スイッチ操作体２４は、板バネを略くの字状に折り曲げることにより形成されている。前記スイッチ操作体２４の一側部には、該スイッチ操作体２４を前記ベースプレート２３に取付けるための取付基部３４が設けられている。前記取付基部３４には前記第１のバリヤ係合体取付部３１に設けたボス部３３を挿入する複数のボス挿入孔３５が設けられている。
【００２５】
前記スイッチ操作体２４は、前記第２の開口部２３内に挿入した状態で前記取付基部３４に設けた複数のボス挿入孔３５に前記複数のボス部３３を挿入することにより前記第１のバリヤ係合体取付部３１に取付けられる。
【００２６】
また、前記第１のバリヤ係合体２５は、金属板を折り曲げることにより形成されている。前記第１のバリヤ係合体２５の一側部には、該第１のバリヤ係合体２５を前記ベースプレート２１に取付けるための取付基部４１が設けられている。前記取付基部４１には前記第１のバリヤ係合体取付部３１に設けたボス部３３を挿入する複数のボス挿入孔４２が設けられている。
【００２７】
そして、前述したように、前記第１のカバー係合体取付部３１に設けたボス部３３を前記第１のバリヤ係合体取付部３１の取付基部３４に設けたボス挿入孔３５に挿入したのち、これらボス部３３を前記取付基部４１に設けたボス挿入孔４２に挿入して、前記ボス部３３の先端部に所謂かしめ加工を施して拡径することにより、前記第１のバリア係合体２５は前記筐体２の第１の主面３との間にスイッチ操作体２６の取付基部３４を挟んだ状態で前記第１のバリヤ係合体取付部３１に取付けられる。なお、前記第１のバリヤ係合体２５の取付基部４１には複数の位置決めボス４３が設けられている。
【００２８】
前記位置決めボス４３は、前記第１のバリヤ係合体２５を前記第１のバリヤ係合体取付部３１に取付けたときに、前記ベースプレート２３に設けたボス挿入孔４４に嵌合して前記第１のバリヤ係合体２５の位置決めを行う。前記第１のバリヤ係合体２５の取付基部４１には前記トグルバネ１７の一端部を係止する第１のバネ係止部４５が設けられている。
【００２９】
また、前記第２のバリヤ係合体２６は、前記第１のバリヤ係合体２５と同様に金属板を折り曲げることにより形成されている。前記第２のバリヤ係合体２６の一側部には、該第２のバリヤ係合体２６を前記ベースプレート２３に取付けるための取付基部４６が設けられている。前記取付基部４６には前記第２のバリヤ係合体取付部３２に設けたボス部３３を挿入する複数のボス挿入孔４７が設けられている。
【００３０】
そして、前記第２のバリヤ係合体取付部３２に設けたボス部３３を前記取付基部４６に設けたボス挿入孔５２に挿入して、前記ボス部３３の先端部に所謂かしめ加工を施して拡径することにより、前記第２のバリヤ係合体２６は前記第２のバリヤ係合体取付部３２に取付けられる。なお、前記第２のバリヤ係合体２６の取付基部４６には位置決めボス４８が設けられている。前記位置決めボス４８は、前記第２のバリヤ係合体２６を前記第２のバリヤ係合体取付部３２に取付けたときに、該第２のバリヤ係合体取付部３２に設けた位置決めボス挿入孔４９に嵌合して前記第２のバリヤ係合体２６の位置決めを行う。なお、前記ベースプレート２１に設けた第１の開口部２２はアイリスカバーシート５０で塞がれて、前記第１の開口部２２から筐体２内への塵埃等の侵入が阻止される。
【００３１】
なお、図２Ａに示すように、前記筐体２の前記第１の主面３に対向する第２の主面５１には、液晶等の表示部５２と、モード切り替えスイッチ５３と、メニュー釦５４と、コントロール釦５５と、画面表示オンオフ釦５６と、スピーカー５７が設けられている。また、前記第１の主面３と前記第２の主面５１を結ぶ第１の端面（上端面）６１には、マイクロホン６２と、ズーム釦６３と、シャッター釦６４と、が設けられている。
（３）バリヤの構成、
図４に示すように、前記バリヤ７は、枠状の内側体８１と、該枠状の内側体８１に取付けられて前記スイッチ操作体２６を押圧操作するスイッチ操作体押圧部８２を設けた金属板８３と、該金属板８３を取付けた前記内側体８１の外面に両面接着シート８４等で取付けられた外側体８５と、からなっている。
【００３２】
前記内側体８１には、略四角形の切欠窓部８６が設けられていて、該切欠窓部８６に臨んで前記金属板８３が取付けられる。前記金属板８２には前記スイッチ操作体押圧部８２が切り起こし形成されていると共に、前記第１のバリヤ係合体２５の取付基部４１に設けた第１のバネ係止部４５に一端部を係止された前記トグルバネ１７の他端部を係止する第２のバネ係止部８７を設けた舌片８８が切り起こし形成されている。
【００３３】
前記金属板８３の周縁部には複数のボス挿入孔８９が設けられていて、これらボス挿入孔８９に前記内側体８１の切欠窓部８６の周縁部に設けたボス９０を挿入し、これらボス９０の先端にかしめ加工を施して拡径することにより前記金属板８３は前記内側体８１に取付けられる。
【００３４】
また、前記内側体８１の四隅部には前記筐体２の第１の主面３に接触する第１〜第４のローラ１１〜１４が配置されていると共に、移動方向の両側部には、前記ベースプレート２１に取付けた第１,第２のバリヤ係合体２５，２６が係合して移動するレール状の第１,第２のバリヤ係合体係合部９１，９２が設けられている。
【００３５】
前記第１のバリヤ係合体係合部９１は、前記内側体８１の一側部に形成した第１の長孔９３の一側部に沿って形成されている。また、前記第２のバリヤ係合体係合部９２は、前記内側体８１の一側部に形成した第２の長孔９４の一側部に沿って形成されている。前記第１,第２のバリヤ係合体２７，２８と前記レール状の第１,第２のバリヤ係合体係合部９１，９２とにより、前記第１,第２のバリヤスライドガイド部１５、１６が構成される。
（４）ローラの構成、
図５に示すように、前記第１〜第４のローラ１１〜１４は、円板状のローラ本体部９５と、該ローラ本体部９５の両側面から突出した回転中心軸９６を備えている。前記第１〜第４のローラ１１〜１４は、前記内側体８１の四隅部に設けた第１〜第４のローラ収容部９７に収容され、前記回転中心軸９６を中心にして回転自在になっている。
【００３６】
前記第１〜第４のローラ１１〜１４が回転自在に収容された前記第１〜第４のローラ収容部９７には側方から略コ字状のクリップ９８が取付けられて、前記第１〜第４のローラ１１〜１４が前記第１〜第４のローラ収容部９７から脱落するのを防止している。前記略コ字状のクリップ９８の対向する一対の辺９８ａには切欠窓９８ｂが設けられていて、該切欠窓９８ｂから前記円板状のローラ本体部９５の一部が突出している。
【００３７】
そして、前記内側体８１を前記筐体２の前記第１の主面３に重ね合わせると、前記第１〜第４のローラ１１〜１４が前記筐体２の前記第１の主面３に接触するようになっている。
（５）バリヤスライドガイド部の構成、
バリヤスライドガイド部は、文字通り前記バリヤ７の移動をガイドするものであり、図６に示すように、前記バリヤ７の一側部に第１のバリヤスライドガイド部１５が配置され、他側部に第２のバリヤスライドガイド部１６が配置されている。
【００３８】
前記第１のバリヤスライドガイド部１５は、前記筐体２に設けた第１のバリヤ係合体２５を前記内側体８１に設けたレール状の第１のバリヤ係合体係合部９１に係合させることにより構成されている。また、前記第２のバリヤスライドガイド部１６は、前記筐体２に設けた第２のバリヤ係合体２６を前記内側体８１に設けたレール状の第２のバリヤ係合体係合部９２に係合させることにより構成されている。
【００３９】
前記第１のバリヤ係合体係合部９１は、前記内側体８１の一側部に形成した第１の長孔９３を介して前記第１のバリヤ係合体２５が重ね合わされた状態で係合されて、前記第１〜第４のローラ１１〜１４を筐体２の主面３に軽く押し付けている。また、前記第２のバリヤ係合体係合部９２は、前記内側体８１の他側部に形成した第２の長孔９４を介して前記第２のバリヤ係合体２８が重ね合わされた状態で係合されて、前記第１〜第４のローラ１１〜１４を筐体２の主面３に軽く押し付けている。そして、前記第１,第２の長孔９３,９４の一側部に沿って、前記バリヤ７は、前記撮像レンズを露出させる第１の位置または撮像レンズを隠蔽する第２の位置に移動させるようになっている。
【００４０】
図６Ａに示すように、前記レール状の第１,第２のバリヤ係合体係合部９１，９２の長さ方向の一端側には、第１のストッパー１８が設けられていて、前記バリヤ７が前記第１の位置に移動したときに、前記第１のストッパー１８が前記第１,第２のバリヤ係合体２５,２６に当接して更なる移動が阻止される。また、図６（Ｂ）に示すように、前記第１,第２の長孔９３,９４の長さ方向の他端側には第２のストッパー１９が設けられていて、前記バリヤ７が前記第２の位置に移動してきたときに、前記第１,第２のバリヤ係合体２５,２６が当接して更なる移動が阻止される。なお、前記第２のバリヤ係合体係合部９２の第１,第２のストッパー部１８,１９は、前記第２，第４のローラ１２，１４が前記第１〜第４のローラ収容部９７から脱落するのを防止している前記略コ字状のクリップ９８で構成されている。
（６）トグルバネの構成、
トグルバネ１７は、前記バリヤ７が前記第１の位置に在るときに前記第１,第２のバリヤ係合体２５,２６に第１のストッパー部１８に押し付けて前記バリヤ７を開放状態に維持し、前記バリヤ７が前記第２の位置に在るときに前記第１,第２のバリヤ係合体２５,２６に前記第２のストッパー部１９に押し付けて前記バリヤ７を閉塞状態に維持する。
【００４１】
図７に示すように、前記トグルバネ１７は、コイル部１７ａと、該コイル部１７ａの一端から伸びる第１のアーム部１７ｂと、前記コイル部１７ａの他端から伸びる第２のアーム部１７ｃと、からなる所謂捻りコイルバネが使用される。
【００４２】
前記トグルバネ１７の第１のアーム部１７ｂは、前記第１のバリヤ係合体２５の取付基部４１に設けた第１のバネ係止部４５に回動可能に係止されている。また、前記トグルバネ１７の第２のアーム部１７ｃは、前記内側体８１に取付けた金属板８３（図４参照）の切起片８８に設けられた第２のバネ係止部８７に回動可能に係止されている。
【００４３】
前記トグルバネ１７は、前記バリヤ７が前記第１の位置に在るときには、図６Ａに示すように、前記第１,第２のバリヤ係合体２５,２６に第１のストッパー部１８に押し付けて前記バリヤ７を開放状態に維持する。そして、前記バリヤ７を第１の位置から第２の位置に移動させて行くと、前記トグルバネ１７のコイル部１７ａが回動（反転）し、前記バリヤ７が所定の位置まで移動してくると、前記トグルバネ１７のバネ力の作用方向が逆転して、図６Ｂに示すように、前記第１,第２のバリヤ係合体２５,２６に第２のストッパー部１９を押し付けて前記バリヤ７を閉塞状態に維持する。
（７）バッテリー蓋の構成、
図８に示すように、前記第１の主面３と前記第２の主面５１を結ぶ端面６８には、前記第１の主面２と前記第２の主面６８の間に設けたバッテリー収納部６９の開口部６９ａを開閉するバッテリー蓋７０と、前記バッテリー収納部６９へのバッテリーの挿脱を許容するバッテリーリリースレバー７１と、前記バッテリー蓋７０を開いたときに該バッテリー蓋７０が重なるストラップ金具７２と、マルチコネクター接続端子７３と、を備えている。前記バッテリーリリースレバー７１は、前記バッテリー蓋７０の長さ方向の一端部の外側に並べた状態で配置されている。
【００４４】
前記バッテリー蓋７０は、軸１０１により前記筐体２に回動可能に取り付けられていて、前記軸１０１を中心にして時計方向に回動させると、図８に示すように、前記筐体２の端面６８上に重なって、前記開口部６９ａを閉じる。また、図８に示す状態から反時計方向に略１００°回動させると、図９に示すように、前記バッテリー蓋７０は、開いた状態になり前記ストラップ金具７２に重なって更なる回動を規制されて前記ストラップ金具７２によって保護される。
【００４５】
図１０に示すように、前記軸１０１は弾性を有する金属棒によって形成されていて、その一端側には前記バッテリー蓋７０の閉塞時においては該バッテリー蓋７０を前記筐体２の端面６８側に押し付け、また、前記バッテリー蓋７０の開放時においては該バッテリー蓋７０を前記ストラップ金具７２に押し付けるバネ部１０２が設けられている。前記バネ部１０２は、前記軸１０１の一端側を折り曲げることにより該軸１０１と一体に形成されていて、図１２Ａ，図１２Ｂ， 図１２Ｃに示すように筐体２側に設けたバネ当接面１０２に接触している。
【００４６】
前記バッテリー蓋７０の閉塞時においては、図１２Ａに示すように、前記バネ部１０２は、筐体２側に設けたバネ当接面１０３に接触して、前記軸１０１およびバッテリー蓋７０に矢印Ａ方向（時計方向）の回動力を付与して前記バッテリー蓋７０を前記筐体２の端面６８側に押し付ける。図１２Ａに示す状態から前記バッテリー蓋７０を開放方向（矢印Ｂ方向）に回動させると、前記バネ部１０２は前記バネ当接面１０３で押されて変形して行き、図１２Ｂに示すように、前記バッテリー蓋７０が所定角度、例えば４５°開いたときに前記バネ部１０２は最も変形し、前記軸１０１およびバッテリー蓋７０に回動力を付与しない中立位置にくる。図１２ Ｂに示す状態から更に前記バッテリー蓋７０を開放方向（矢印Ｂ方向）に回動させると、今度は前記バネ部１０２によって前記バッテリー蓋７０を開放させる方向（矢印Ｂ方向）のバネ力が生じ、前記バッテリー蓋７０は、図１２Ｃに示すように、前記ストラップ金具７２に押し付けられて、前記筐体２の開口部６９ａを開放した状態に維持される。
（８）バッテリーリリースレバーの構成、
前記バッテリーリリースレバー７１は、図８、図９に示すように、一端部に設けたバッテリー係合部１０６が前記バッテリー収納部６９の開口部６９ａの一部を塞ぐ位置と前記開口部６９ａを開放する位置との間でスライド可能に前記第１の端面６８に設けたレバーガイド部１０７に取付けられている。前記バッテリーリリースレバー７１は、底面側に配置されているバネ材１０８により前記バッテリー収納部６９の開口部６９ａの一部を塞ぐ位置に付勢されている。前記バッテリー係合部１０６の上面は傾斜面状に形成されていてバッテリー押出面１０６ａになっている。
【００４７】
図１３に示すように、前記バッテリーリリースレバー７１を前記バネ材１０８のバネ力に抗してバッテリー１１１を挿入するのに支障のない位置、即ち前記開口部６９ａを開放する位置まで押し戻した状態でバッテリー１１１をバッテリー収納部６９に収納する。
【００４８】
バッテリー１１１をバッテリー収納部６９に収納したのち、前記バッテリーリリースレバー７１の押し戻しを解除すると、該バッテリーリリースレバー７１は、前記バネ材１０８のバネ力で自動的に前記バッテリー収納部６９の開口部６９ａの一部を塞ぐ位置まで復帰して、バッテリー１１１がバッテリー収納部６９から抜け出るのを防止する。そして、図１４に示すように、前記バッテリー蓋７０を閉じてバッテリー１１１の挿入作業が終了する。
【００４９】
前記バッテリー蓋７０を閉じた侭の状態で、前記バッテリーリリースレバー７１を押し戻すことが可能であると、前記バッテリーリリースレバー７１が誤って押し戻されたような場合に、バッテリー１１１がバッテリー収納部６９の奥端部に設けられているバッテリー接触端子１１２のバネ力等によりバッテリー収納部６９から押し出されてしまうことがある。押し出される量が僅かであると、前記バッテリー蓋７０の存在によって、バッテリー１１１がバッテリー収納部６９内に完全に収納されていないことが明確にならない場合がある。
【００５０】
そこで、図１３に示すように、前記バッテリーリリースレバー７１に蓋係合部１１３を設ける一方、前記バッテリー蓋７０にリリースレバー係合部１１４を設け、前記バッテリー蓋７０を閉じた状態にすると、図１５に示すように、前記蓋係合部１１３の側方に前記バッテリーリリースレバー係合部１１４が位置し、前記バッテリーリリースレバー７１を押し戻し方向に移動させようとすると、前記蓋係合部１１３が前記バッテリーリリースレバー係合部１１４に係合して前記バッテリー蓋７０を閉じた侭の状態で前記バッテリーリリースレバー７１が押し戻されるのを防止するようになっている。
【００５１】
前記バッテリー収納部６９からのバッテリー１１１の取り出しは、前記バッテリー蓋７０を開いた後に、前記バッテリーリリースレバー７１を前記バネ材１０８の付勢力に抗して押し戻すことによりなされる。前記バッテリーリリースレバー７１を押し戻して、バッテリー１１１の押さえを解除すると、図１６に示すように、バッテリー１１１は前記バッテリー接触端子１１２のバネ力等によりバッテリー収納部６９から僅かに押し出された状態になる。
【００５２】
また、前記バッテリー接触端子１１２のバネ力等によりバッテリー１１１が僅かに押し出された後に、前記バッテリーリリースレバー７１をバッテリー１１１に移動させれば、図１７に示すように、前記バッテリーリリースレバー７１のバッテリー係合部１０６の上面の傾斜面状のバッテリー押出面１０６ａが前記バッテリー１１１のフレーム１１１ａに設けた傾斜面１１１ｂを押して前記バッテリー１１１を更にバッテリー収納部６９から押し出す。なお、前記バッテリー接触端子１１２およびバッテリーリリースレバー７１でバッテリー１１１をバッテリー収納部６９から押し出すことのできる量は僅かであるので、バッテリー１１１をバッテリー収納部６９からより多く突出させたい場合には、バッテリー収納部６９の奥端部に押出バネ（図示省略）を設け、該押出バネのバネ力でバッテリー１１１をバッテリー収納部６９からより多く突出させてもよい。
（９）ストラップ金具の構成、
ストラップ金具７２は、落下防止のために手首用のリストストラップや首に掛けるネックストラップ等を取り付けるための金具であり、撮影時に親指等を当てることにより筐体２を保持し易くする働きもする。
【００５３】
前記ストラップ金具７２は、図２及び図１８に示すように、前記筐体２の端面６１の前記第２の主面５１側の側縁に沿って起立させた状態に形成されていて、前記第２の主面５１側の第１の面７２ａと反対側の第２の面７２ｂが前記バッテリー蓋７０の受面になっている。前記第２の面７２ｂは、前記筐体２の端面６１またはバッテリー収納部６９の開口部６９ａに対して少なくとも９０°よりも大きな傾斜角度θで形成されている。また、前記第１の面７２ａには、前記マルチコネクター接続端子７３に、次に説明するマルチコネクター１２１を接続したときに、該マルチコネクター１２１が前記マルチコネクター接続端子７３から抜けないように、該マルチコネクター１２１の係合部１２７が係合する溝状の被係合部１１５が設けられている。また、ストラップ金具７２には、ストラップを取付けるための孔１１６が設けられている。
【００５４】
図１９は、前記マルチコネクター接続端子７３に接続するマルチコネクター１２１を示す。前記マルチコネクター１２１は、ＤＣ入力端子１２２と、ＵＳＶ端子１２３と、Ａ／Ｖ出力端子１２４を第１の側面１２１ａに備え、前記マルチコネクター接続端子７３に挿入する端子１２５と、前記ストラップ金具７２を挿入するストラップ金具挿入凹部１２６を第２の側面１２１ｂに備え、前記ストラップ金具挿入凹部１２６の内面に臨んで前記ストラップ金具７２の溝状の被係合部１１５に係合する係合部１２７を備え、前記係合部１２７の前記被係合部１１５からの係合解除操作を行う係合解除釦１２８を第３の側面１２１ｃに備えている。
【００５５】
そして、図１９に示すように、カメラ１の略真横から前記マルチコネクター接続端子７３に端子１２５を挿入すれば、図２０に示すように、前記ストラップ金具７２が自ずと前記ストラップ金具挿入凹部１２６内に挿入されるとともに、前記係合部１２７が前記被係合部１１５に係合して、前記マルチコネクター１２１をカメラ１側にロックする。
【００５６】
図２１は、前記マルチコネクター１２１の要部の断面図である。前記爪状の係合部１２７は、軸１３１を中心に回動可能になっていて、バネ１３２によって前記ストラップ金具挿入凹部１２６内に突出している。そして、前記ストラップ金具７２を前記ストラップ金具挿入凹部１２６に挿入すると、該ストラップ金具７２の先端面７２ａで前記係合部１２７の先端の傾斜面１２７ａが押されて前記係合部１２７は、前記バネ１３２の付勢力に抗して逃げ方向に回動する。前記ストラップ金具７２が前記ストラップ金具挿入凹部１２６内に完全に挿入されて、前記ストラップ金具７２の先端面７２ａによる前記係合部１２７の先端の傾斜面１２７ａの押圧が解除されると、前記係合部１２７は、前記バネ１２９の付勢力で自動的に回動して前記溝状の被係合部１１５に係合する。
【００５７】
前記マルチコネクター１２１をカメラ１から外す場合には、前記係合解除釦１２８を押圧すれば、図２２に示すように、前記係合部１２７は、前記バネ１２９の付勢力に抗して逃げ方向に回動して、前記溝状の被係合部１１５との係合が外れてカメラ１から取外し可能な状態になる。
【００５８】
上述のように、前記マルチコネクター１２１が前記ストラップ金具７２と係合すうように構成したので、通常、このようにマルチコネクターとストラップ金具を係合させることのない構造のものと比較して、例えば前記マルチコネクター１２１のコードが引っ張られたりして強い力が掛かっても、直接、コネクター接続部に前記力が掛からなくなり、コネクターや端子を保護することができるという効果がある。
なお、図１、図２等の撮像装置の立体図に対して、図４〜図１８等は、撮像装置の各部を平面的に見たものであり、曲面や傾斜面等については曲率半径や傾斜角度等に若干の相違があったとしてもそれは作図上のものであって同一符合部分は同一の部分を示す。また、図１、図２等の撮像装置の立体図と、図８、図９等に示す撮像装置の立体図との間において、曲面や傾斜面等については曲率半径や傾斜角度等に若干の相違があったとしてもこれも作図上のものである。また、断面図において一部、ハッチング線を省略している。
（１０）バッテリー蓋およびバッテリーリリースレバーの作用、
実施例の撮像装置は、上述のような構成であって、バッテリー１１１をバッテリー収納部６９に挿入するに際しては、先ず前記バッテリー蓋７０を開いた後に、前記バッテリーリリースレバー７１を前記バネ材１０８の付勢力に抗して押し戻してバッテリー１１１を挿入する。バッテリー１１１をバッテリー収納部６９に完全に収納したら、前記バッテリーリリースレバー７１の押し戻しを解除すると該バッテリーリリースレバー７１は、前記バネ材１０８のバネ力で自動的に前記バッテリー収納部６９の開口部６９ａの一部を塞ぐ位置まで復帰して、バッテリー１１１がバッテリー収納部６９から抜け出るのを防止する。そして、前記バッテリー蓋７０を閉じてバッテリー１１１の挿入作業が終了する。
【００５９】
前記バッテリー蓋７０を閉じた状態においても前記バッテリーリリースレバー７１は前記バッテリー蓋７０の側部に露出しているので、誤操作される危険性があるが、前述したように、前記バッテリーリリースレバー７１に蓋係合部１１３を設ける一方、前記バッテリー蓋７０にリリースレバー係合部１１４を設けたので、前記バッテリー蓋７０を閉じた状態にすると、図１５に示すように、前記蓋係合部１１３の側方に前記バッテリーリリースレバー係合部１１４が位置し、前記バッテリーリリースレバー７１を押し戻し方向に移動させようとすると、前記蓋係合部１１３が前記バッテリーリリースレバー係合部１１４に係合して前記バッテリー蓋７０を閉じた侭の状態で前記バッテリーリリースレバー７１が押し戻されるのを防止する。
【００６０】
また、前記バッテリー収納部６９からのバッテリー１１１の取り出しは、前記バッテリー蓋７０を開いた後に、前記バッテリーリリースレバー７１を前記バネ材１０８の付勢力に抗して押し戻すことによりなされる。前記バッテリーリリースレバー７１を押し戻して、バッテリー１１１の押さえを解除すると、図１６に示すように、バッテリー１１１は前記バッテリー接触端子１１２のバネ力等によりバッテリー収納部６９から僅かに押し出された状態になる。
【００６１】
前記バッテリー接触端子１１２のバネ力等によりバッテリー１１１が僅かに押し出された後に、前記バッテリーリリースレバー７１をバッテリー１１１に移動させれば、図１７に示すように、前記バッテリーリリースレバー７１のバッテリー係合部１０６の上面の傾斜面１０６ａが前記バッテリー１１１のフレーム１１１ａに設けた傾斜面１１１ｂを押して前記バッテリー１１１を更にバッテリー収納部６９から押し出す。
（１１）他の実施例
上記実施例においては、撮像装置としてのデジタルカメラを例にとって説明したが、バッテリーを使用する電子機器、例えば、携帯電話機、携帯型のゲーム機、携帯型のコンピュータ等の電子機器に広く適用される。
【図面の簡単な説明】
【００６２】
【図１Ａ】バリヤを第１の位置（開放位置）に移動させた状態の斜視図。
【図１Ｂ】バリヤを第２の位置（閉塞位置）に移動させた状態の斜視図。
【図２Ａ】カメラを背面側から見た斜視図。
【図２Ｂ】カメラを底面側から見た斜視図。
【図３】バリヤを取外した状態の斜視図。
【図４】バリヤの分解斜視図。
【図５】ローラの取付けを示す斜視図。
【図６Ａ】トグルバネの作用を示す説明図。
【図６Ｂ】トグルバネの作用を示す説明図。
【図７】トグルバネの説明図。
【図８】バッテリー蓋を閉じた状態の斜視図。
【図９】バッテリー蓋を開いた状態の斜視図。
【図１０】バッテリー蓋と軸を示す斜視図。
【図１１】バッテリー蓋に軸を取付けた状態の正面図。
【図１２Ａ】軸の一端部に設けたバネ部の作用を示す説明図。
【図１２Ｂ】軸の一端部に設けたバネ部の作用を示す説明図。
【図１２Ｃ】軸の一端部に設けたバネ部の作用を示す説明図。
【図１３】バッテリー蓋を開いてバッテリーを収納する前の状態を示す斜視図。
【図１４】バッテリーを収納しバッテリー蓋を閉じた状態を示す斜視図。
【図１５】バッテリーリリースレバーが押し戻せなくなった状態を示す説明図。
【図１６】バッテリー収納部内の端子によりバッテリーが押出された状態の説明図。
【図１７】バッテリーリリースレバーでバッテリーを押出す状態を示す説明図。
【図１８】ストラップ金具の側面図。
【図１９】カメラにマルチコネクターを取付ける前の状態の斜視図。
【図２０】カメラにマルチコネクターを取付けた状態の斜視図。
【図２１】マルチコネクターがストラップ金具にロックされている状態の断面図。
【図２２】ロックが解除された状態の断面図。
【図２３】関連技術の説明図。
【符号の説明】
【００６３】
１…デジタルカメラ、２…筐体、３…第１の主面、４…撮像レンズ、６８…筐体の端面、６９…バッテリー収納部、６９ａ…開口部、７０…バッテリー蓋、、７１…バッテリーリリースレバー、７２…ストラップ金具、１０１…軸、１０２…バネ部、１０６…バッテリー係合部、１０６ａ…傾斜面、１１１…バッテリー、１１３…バッテリー蓋係合部、１１４…バッテリーリリースレバー係合部。
【図１Ａ】
2006186491.tif 000003
【図１Ｂ】
2006186491.tif 000004
【図２Ａ】
2006186491.tif 000005
【図２Ｂ】
2006186491.tif 000006
【図３】
2006186491.tif 000007
【図４】
2006186491.tif 000008
【図５】
2006186491.tif 000009
【図６Ａ】
2006186491.tif 000010
【図６Ｂ】
2006186491.tif 000011
【図７】
2006186491.tif 000012
【図８】
2006186491.tif 000013
【図９】
2006186491.tif 000014
【図１０】
2006186491.tif 000015
【図１１】
2006186491.tif 000016
【図１２Ａ】
2006186491.tif 000017
【図１２Ｂ】
2006186491.tif 000018
【図１２Ｃ】
2006186491.tif 000019
【図１３】
2006186491.tif 000020
【図１４】
2006186491.tif 000021
【図１５】
2006186491.tif 000022
【図１６】
2006186491.tif 000023
【図１７】
2006186491.tif 000024
【図１８】
2006186491.tif 000025
【図１９】
2006186491.tif 000026
【図２０】
2006186491.tif 000027
【図２１】
2006186491.tif 000028
【図２２】
2006186491.tif 000029
【図２３】
2006186491.tif 000030
【手続補正書】
【提出日】平成17年12月14日(2005.12.14)
【手続補正１】
【補正対象書類名】特許請求の範囲
【補正対象項目名】全文
【補正方法】変更
【補正の内容】
【特許請求の範囲】
【請求項１】
扁平な直方体形状の筐体の第１の主面に撮像レンズが配置され、前記第１の主面に対向する第２の主面にモニターが配置され、前記第１の主面と前記第２の主面を結ぶ第１の端面に、前記第１の主面と前記第２の主面の間に設けたバッテリー収納部と、該バッテリー収納部の開口部から前記バッテリー収納部へのバッテリーの挿入および前記バッテリー収納部からのバッテリーの取出しを許容するバッテリーリリースレバーと、前記バッテリー収納部の開口部を開閉するバッテリー蓋と、を備え、
前記バッテリーリリースレバーは、前記バッテリー蓋を閉じた状態において、該バッテリー蓋の側部から露出する位置に配置されていることを特徴とする撮像装置。
【請求項２】
前記バッテリーリリースレバーは、一端部に設けたバッテリー係合部が前記バッテリー収納部の開口部の一部を塞ぐ位置と、前記バッテリー収納部の開口部を開放する位置との間でスライド可能に前記第１の端面に取付けられていて、バネ材により前記バッテリー収納部の開口部の一部を塞ぐ位置に付勢されていることを特徴とする請求項１に記載の撮像装置。
【請求項３】
前記バッテリー蓋は、軸により回動可能に前記筐体に取付けられていて前記軸を中心にして一方向に回動させると前記第１の端面上に重なって前記バッテリー収納部の開口部を閉塞し、他方向に回動させると前記バッテリー収納部の開口部を開放して前記第１の端面に設けたストラップ金具に重なって前記バッテリー収納部の開口部を開放した位置に位置決めされることを特徴とする請求項１に記載の撮像装置。
【請求項４】
前記軸は、弾性を有する金属棒で形成されていて、該軸の長さ方向の一端部には、前記バッテリー蓋を一方向に回動させたときに該バッテリー蓋を前記第１の端面に押し付け、前記バッテリー蓋を他方向に回動させたときに該バッテリー蓋を前記ストラップ金具に押し付ける押し付けバネ部が一体に折り曲げ形成されていることを特徴とする請求項３に記載の撮像装置。
【請求項５】
前記バッテリーリリースレバーは、前記バッテリー蓋を閉じた状態で前記バッテリーリリースレバーを前記バネ材の付勢力に抗して押し戻したときに、前記バッテリー蓋に設けたリリースレバー係合部に係合して、該バッテリーリリースレバーのバッテリーリリース方向への移動を阻止するバッテリー蓋係合部を備えていることを特徴とする請求項２に記載の撮像装置。
【請求項６】
前記バッテリーリリースレバーは、前記バッテリー収納部の奥端部に設けられているバッテリー接続端子のバネ力で前記バッテリー収納部の開口部から端部が押出されたバッテリーを更に押出すバッテリー押出面を前記バッテリー係合部に備えていることを特徴とする請求項２に記載の撮像装置。
【請求項７】
バッテリー収納部と、該バッテリー収納部の開口部から前記バッテリー収納部へのバッテリーの挿入および前記バッテリー収納部からのバッテリーの取出しを許容するバッテリーリリースレバーと、前記バッテリー収納部の開口部を開閉するバッテリー蓋と、を備え、
前記バッテリーリリースレバーは、前記バッテリー蓋を閉じた状態において、該バッテリー蓋の側部から露出する位置に配置されていることを特徴とする電子機器。
【請求項８】
部品収納部と、該収納部の開口部から前記収納部への部品の挿入および前記部品収納部からの部品の取出しを許容する部品リリースレバーと、前記部品収納部の開口部を開閉する蓋と、を備え、
前記部品リリースレバーは、前記蓋を閉じた状態において、該蓋の側部から露出する位置に配置されていることを特徴とする電子機器。
【手続補正２】
【補正対象書類名】明細書
【補正対象項目名】全文
【補正方法】変更
【補正の内容】
【発明の詳細な説明】
【技術分野】
【０００１】
本発明は電子機器、例えばデジタルカメラ（ＤＳＣ）等の撮像装置に関し、特にバッテリー収納部へのバッテリーの挿入やバッテリー収納部からの取出しを許容するバッテリーリリースレバーおよびバッテリー収納部を開閉するバッテリー蓋を改良したものである。
【背景技術】
【０００２】
デジタルカメラ等の撮像装置は、電源としてバッテリーが使用される。前記バッテリーは撮像装置の筐体に設けた開口部からバッテリー収納部内に収納されたのち、バッテリーリリースレバーによってバッテリー収納部から抜け出ることのないようにして、前記開口部をバッテリー蓋で隠蔽するようになっている。（例えば、特許文献１）
【特許文献１】特開平９−２２６８５号公報
【発明の開示】
【発明が解決しようとする課題】
【０００３】
ところで、従来の撮像装置においては、図２３に示すように、バッテリー蓋２０１を閉じたときに、該バッテリー蓋２０１がバッテリーリリースレバー２０２上に重なる構成になっていたために、次に述べるような問題点があった。
（１）撮像装置の筐体２０３のバッテリー収納部２０４の奥行方向の寸法、換言すればバッテリー挿入方向の寸法が前記バッテリー蓋２０１とバッテリーリリースレバー２０２が重なり合う分だけ大きくなってしまう。
（２）バッテリー蓋２０１を閉じた状態においてはバッテリー蓋２０１によってバッテリーリリースレバー２０２が隠蔽された状態になるためにバッテリーリリースレバー２０２の位置が明確でない。
【０００４】
本発明の目的は、バッテリー挿入方向の寸法を少しでも小さくすることのできる撮像装置を提供することにある。
【０００５】
また、本発明の他の目的は、バッテリー蓋を閉じた状態においてもバッテリーリリースレバーの位置を視認することのできる撮像装置等の電子機器を提供することにある。
【課題を解決するための手段】
【０００６】
請求項１の発明は、扁平な直方体形状の筐体の第１の主面に撮像レンズが配置され、前記第１の主面に対向する第２の主面にモニターが配置され、前記第１の主面と前記第２の主面を結ぶ第１の端面に、前記第１の主面と前記第２の主面の間に設けたバッテリー収納部の開口部から前記バッテリー収納部へのバッテリーの挿入および前記バッテリー収納部からのバッテリーの取出しを許容するバッテリーリリースレバーと、前記バッテリー挿入口を開閉するバッテリー蓋と、を備えた撮像装置において、前記バッテリーリリースレバーを、前記バッテリー蓋を閉じた状態において、該バッテリー蓋の側部から露出する位置に配置した。
【０００７】
請求項２の発明は、請求項１の撮像装置において、前記バッテリーリリースレバーを、一端部に設けたバッテリー係合部が前記バッテリー収納部の開口部の一部を塞ぐ位置と、前記バッテリー収納部の開口部を開放する位置との間でスライド可能に前記第１の端面に取付け、バネ材により前記バッテリー収納部の開口部の一部を塞ぐ位置に付勢した。
【０００８】
請求項３の発明は、請求項１の撮像装置において、前記バッテリー蓋を、軸により回動可能に前記筐体に取付け、前記軸を中心にして一方向に回動させると前記第１の端面上に重なって前記バッテリー収納部の開口部を閉塞し、他方向に回動させると前記バッテリー収納部の開口部を開放して前記第１の端面に設けたストラップ金具に重なって前記バッテリー収納部の開口部を開放した位置に位置決めされる構成にした。
【０００９】
請求項４の発明は、請求項３の撮像装置において、前記軸を、弾性を有する金属棒で形成し、該軸の長さ方向の一端部を折り曲げて、前記バッテリー蓋を一方向に回動させたときに該バッテリー蓋を前記第１の端面に押し付け、前記バッテリー蓋を他方向に回動させたときに該バッテリー蓋を前記ストラップ金具に押し付ける押し付けバネ部を一体に形成した。
【００１０】
請求項５の発明は、請求項１の撮像装置において、前記バッテリー蓋を閉じた状態で前記バッテリーリリースレバーを前記バネ材の付勢力に抗して押し戻したときに、前記バッテリー蓋に設けたリリースレバー係合部に係合して、該バッテリーリリースレバーのバッテリーリリース方向への移動を阻止するバッテリー蓋係合部を前記バッテリーリリースレバーに設けた。
【００１１】
請求項６の発明は、請求項１の撮像装置において、前記バッテリー収納部の奥端部に設けられているバッテリー接続端子のバネ力で前記バッテリー収納部の開口部から端部が押出されたバッテリーを更に押出すバッテリー押出面を前記バッテリーリリースレバーのバッテリー係合部に設けた。
【００１２】
請求項７の発明は、バッテリー収納部と、該バッテリー収納部の開口部から前記バッテリー収納部へのバッテリーの挿入および前記バッテリー収納部からのバッテリーの取出しを許容するバッテリーリリースレバーと、前記バッテリー収納部の開口部を開閉するバッテリー蓋と、を備えた電子機器において、前記バッテリーリリースレバーを、前記バッテリー蓋を閉じた状態において、該バッテリー蓋の側部から露出する位置に配置した。
【００１３】
請求項８の発明は、部品収納部と、該収納部の開口部から前記収納部への部品の挿入および前記部品収納部からの部品の取出しを許容する部品リリースレバーと、前記部品収納部の開口部を開閉する蓋と、を備えた電子機器において、
前記部品リリースレバーを、前記蓋を閉じた状態において、該蓋の側部から露出する位置に配置した。
【発明の効果】
【００１４】
（１）請求項１の撮像装置は、バッテリーリリースレバーとバッテリー蓋を非重合状態に配置したので、従来のバッテリーリリースレバーとバッテリー蓋を重ね合わせた状態に配置する場合に比べて、重ね合わせ方向の幅を小さくすることができる。また、バッテリー蓋を閉じた状態においてもバッテリーリリースレバーがバッテリー蓋の側方に露出した状態になっているためにバッテリーリリースレバーの存在が確認し易いものになる。
（２）請求項２の撮像装置は、バッテリーリリースレバーをバネ材の付勢力に抗して押し戻してバッテリーをバッテリー収納部に収納して、バッテリーリリースレバーへの押戻力を解除すると、バッテリーリリースレバーは前記バネ材の付勢力で自動的に前記開口部の一部を塞ぐ位置に復帰して、バッテリーがバッテリー収納部から抜け出るのを防止する。
（３）請求項３の撮像装置は、バッテリー蓋を開いて行くと、該バッテリー蓋はストラップ金具に重なって、開き角度が規制されるとともに、前記それ以上、開くことがないようにされて保護される。
（４）請求項４の撮像装置は、バッテリー蓋を閉じた状態あるいは開いた状態に維持するバネ部を前記バッテリー蓋を回動可能に筐体に取り付けている回転軸の一端部を折り曲げることにより、前記回転軸と一体に形成したので、前記回転軸と別体のバネ材を使用して、バッテリー蓋を閉じた状態あるいは開いた状態に維持する場合に比べて部品点数を少なくして製品コストを安くすることができる。
（５）請求項５の撮像装置は、バッテリー蓋を閉じた状態において、誤って前記バッテリーリリースレバーに押し戻し方向の力が作用した場合でも、バッテリーリリースレバーに設けたバッテリー蓋係合部がバッテリー蓋に設けたリリースレバー係合部に係合して、バッテリーリリースレバーのバッテリーリリース方向への移動するのを阻止することができる。
（６）請求項６の撮像装置は、バッテリーリリースレバーのバッテリー係合部に設けたバッテリー押出面でバッテリーを押出して、バッテリーをバッテリー収納部から引抜き易くすることができる。
（７）請求項７の電子機器は、バッテリーリリースレバーとバッテリー蓋を非重合状態に配置したので、従来のバッテリーリリースレバーとバッテリー蓋を重ね合わせた状態に配置する場合に比べて、重ね合わせ方向の幅を小さくすることができる。また、バッテリー蓋を閉じた状態においてもバッテリーリリースレバーがバッテリー蓋の側方に露出した状態になっているためにバッテリーリリースレバーの存在が確認し易いものになる。
（８）請求項８の電子機器は、部品リリースレバーと蓋を非重合状態に配置したので、従来の部品リリースレバーと蓋を重ね合わせた状態に配置する場合に比べて、重ね合わせ方向の幅を小さくすることができる。また、蓋を閉じた状態においても部品リリースレバーが蓋の側方に露出した状態になっているために部品リリースレバーの存在が確認し易いものになる。
【発明を実施するための最良の形態】
【００１５】
以下、本発明の撮像装置を、（１）撮像装置全体の概略構成、（２）筐体の構成、（３）バリヤの構成、（４）ローラの構成、（５）バリヤスライドガイド部の構成、（６）トグルバネの構成、（７）バッテリー蓋の構成、（８）バッテリーリリースレバーの構成、（９）ストラップ金具の構成、（１０）バッテリー蓋およびバッテリーリリースレバーの作用、（１１）他の実施例、の順に説明する。
（１）撮像装置全体の概略構成、
図１Ａ、図１Ｂは本発明の撮像装置としてのデジタルカメラ１を第１の主面（正面）３側から見た斜視図、図２は本発明のデジタルカメラを第２の主面（正面）５１側から見た斜視図である。
【００１６】
前記デジタルカメラ１は、前記扁平な直方体形状の筐体２の第１の主面３に臨んで撮像レンズ４と、オートフォーカス用の補助光を発光させるためのＡＦイルミネータ５と、フラッシュ用の発光部６が配置されていて、図１Ａに示す前記撮像レンズ４、ＡＦイルミネータ５、フラッシュ用の発光部６を露出させる第１の位置と、図１Ｂに示す前記撮像レンズ４、ＡＦイルミネータ５、フラッシュ用の発光部６を隠蔽する第２の位置の間で移動可能なバリヤ（レンズカバー）７を備えている。前記筐体２の第１の主面３からは、前記筐体２に収容したアイリス駆動機構８の一部が突出している。
【００１７】
図１Ａに示すように、前記バリヤ７が前記第１の位置に在るときに該バリヤ７で隠蔽される位置で、かつ図１Ｂに示すように、前記バリヤ７が前記第２の位置に在るときにも該バリヤ７で隠蔽される位置に前記アイリス駆動機構８の一部が突出している。
【００１８】
前記バリヤ７は、略矩形状に形成されていて、四隅部には、前記筐体２の第１の主面３に接触する第１〜第４のローラ１１〜１４が設けられていると共に、移動方向の両側部には一対の第１,第２のバリヤスライドガイド部１５、１６が配置されている。そして、前記バリヤ７は、前記第１〜第４のローラ１１〜１４と第１,第２のバリヤスライドガイド部１５、１６とによって、前記筐体２の第１の主面３上を前記第１の位置と前記第２の位置の相互で移動するようになっている。
【００１９】
前記第１のバリヤスライドガイド部１５は、次の筐体の構成の項で詳しく説明するように、筐体２側に設けた第１のバリヤ係合体２５と、バリヤ側に設けられていて前記第１のバリヤ係合体２５がスライド可能に重合するレール状の第１のバリヤ係合体係合部９１と、からなっている。また、前記第２のバリヤスライドガイド部１６は、前記第１のバリヤスライドガイド部１５と同様に、前記筐体２側に設けた第２のバリヤ係合体２６と、バリヤ側に設けられていて前記第２のバリヤ係合体２６がスライド可能に重合するレール状の第２のバリヤ係合体係合部９２と、からなっている。
【００２０】
前記バリヤ７は、前記第１の位置に在るときには、図１Ａに示すように、バリヤ付勢バネ（以下、トグルバネと称する）１７のバネ力で前記第１,第２のバリヤ係合体２５、２６に前記レール状の第１,第２のバリヤ係合体係合部９１,９２の一端側に設けた第１のストッパー部１８が押し付けられて前記撮像レンズ４、ＡＦイルミネータ５、フラッシュ用の発光部６を露出させた状態に維持される。また、前記第２の位置に在るときには、図１Ｂに示すように、前記トグルバネ１７のバネ力で前記第１,第２のバリヤ係合体２５,２６に前記レール状の第１,第２のバリヤ係合体係合部９１,９２の他端側に設けた第２のストッパー部１９が押し付けられて前記撮像レンズ４、ＡＦイルミネータ５、フラッシュ用の発光部６および前記アイリス駆動機構８の一部を隠蔽した状態に維持される。
【００２１】
また、前記第１の主面３と前記第２の主面５１を結ぶ第１の端面（右側端面）６８には、前記筐体２内のバッテリー収納部６９の開口部６９ａを開閉するバッテリー蓋７０と、前記バッテリー収納部６９へのバッテリーの挿入および前記バッテリー収納部６９からバッテリーの抜去を許容するバッテリーリリースレバー７１と、前記バッテリー蓋７０を開いたときに該バッテリー蓋７０が重なるストラップ金具７２と、マルチコネクター接続端子７３と、電源釦７４が設けられている。前記バッテリーリリースレバー７１は、前記バッテリー蓋６９の側方に、該バッテリー蓋７０と非重合状態に配置されている。
（２）筐体の構成、
図３は前記バリヤ７を取外した状態を示し、前記扁平な直方体形状の筐体２の第１の主面３の上端側の一隅部に臨んで撮像レンズ４が配置され、該撮像レンズ４の一側部にはＡＦイルミネータ５とフラッシュ用の発光部６が配置されている。
【００２２】
前記撮像レンズ４、ＡＦイルミネータ５、フラッシュ用の発光部６の下方にはベースプレート２１が取付けられている。前記ベースプレート２１には第１の開口部２２が設けられていて、該第１の開口部２２内に前記アイリス駆動機構８の一部が収容されている。また、前記ベースプレート２１には第２の開口部２３が設けられていて、該第２の開口部２３内には前記バリヤ７が前記第１の位置に在るか、或いは前記第２の位置に在るかを検出するために前記筐体２内に設けられているバリヤ位置検出スイッチ（図示省略）を操作するためのスイッチ操作体２４が配置されている。また、前記ベースプレート２１の両側部には、前記第１,第２のバリヤスライドガイド部１５、１６を構成する一対の第１,第２のバリヤ係合体２５，２６が設けられている。
【００２３】
図４の分解斜視図に示すように、前記ベースプレート２１には、前記第１,第２の開口部２２,２３の両側部に、前記第１,第２のバリヤ係合体２５，２６を取付けるための第１,第２のバリヤ係合体取付部３１,３２が設けられている。これら第１,第２のバリヤ係合体取付部３１,３２には、複数のボス部３３が設けられている。
【００２４】
前記スイッチ操作体２４は、板バネを略くの字状に折り曲げることにより形成されている。前記スイッチ操作体２４の一側部には、該スイッチ操作体２４を前記ベースプレート２１に取付けるための取付基部３４が設けられている。前記取付基部３４には前記第１のバリヤ係合体取付部３１に設けたボス部３３を挿入する複数のボス挿入孔３５が設けられている。
【００２５】
前記スイッチ操作体２４は、前記第２の開口部２３内に挿入した状態で前記取付基部３４に設けた複数のボス挿入孔３５に前記複数のボス部３３を挿入することにより前記第１のバリヤ係合体取付部３１に取付けられる。
【００２６】
また、前記第１のバリヤ係合体２５は、金属板を折り曲げることにより形成されている。前記第１のバリヤ係合体２５の一側部には、該第１のバリヤ係合体２５を前記ベースプレート２１に取付けるための取付基部４１が設けられている。前記取付基部４１には前記第１のバリヤ係合体取付部３１に設けたボス部３３を挿入する複数のボス挿入孔４２が設けられている。
【００２７】
そして、前述したように、前記第１のバリヤ係合体取付部３１に設けたボス部３３を取付基部３４に設けたボス挿入孔３５に挿入したのち、これらボス部３３を前記取付基部４１に設けたボス挿入孔４２に挿入して、前記ボス部３３の先端部に所謂かしめ加工を施して拡径することにより、前記第１のバリア係合体２５は前記筐体２の第１の主面３との間にスイッチ操作体２４の取付基部３４を挟んだ状態で前記第１のバリヤ係合体取付部３１に取付けられる。なお、前記第１のバリヤ係合体２５の取付基部４１には複数の位置決めボス４３が設けられている。
【００２８】
前記位置決めボス４３は、前記第１のバリヤ係合体２５を前記第１のバリヤ係合体取付部３１に取付けたときに、前記ベースプレート２１に設けたボス挿入孔４４に嵌合して前記第１のバリヤ係合体２５の位置決めを行う。前記第１のバリヤ係合体２５の取付基部４１には前記トグルバネ１７の一端部を係止する第１のバネ係止部４５が設けられている。
【００２９】
また、前記第２のバリヤ係合体２６は、前記第１のバリヤ係合体２５と同様に金属板を折り曲げることにより形成されている。前記第２のバリヤ係合体２６の一側部には、該第２のバリヤ係合体２６を前記ベースプレート２１に取付けるための取付基部４６が設けられている。前記取付基部４６には前記第２のバリヤ係合体取付部３２に設けたボス部３３を挿入する複数のボス挿入孔４７が設けられている。
【００３０】
そして、前記第２のバリヤ係合体取付部３２に設けたボス部３３を前記取付基部４６に設けたボス挿入孔４７に挿入して、前記ボス部３３の先端部に所謂かしめ加工を施して拡径することにより、前記第２のバリヤ係合体２６は前記第２のバリヤ係合体取付部３２に取付けられる。なお、前記第２のバリヤ係合体２６の取付基部４６には位置決めボス４８が設けられている。前記位置決めボス４８は、前記第２のバリヤ係合体２６を前記第２のバリヤ係合体取付部３２に取付けたときに、該第２のバリヤ係合体取付部３２に設けた位置決めボス挿入孔４９に嵌合して前記第２のバリヤ係合体２６の位置決めを行う。なお、前記ベースプレート２１に設けた第１の開口部２２はアイリスカバーシート５０で塞がれて、前記第１の開口部２２から筐体２内への塵埃等の侵入が阻止される。
【００３１】
なお、図２Ａに示すように、前記筐体２の前記第１の主面３に対向する第２の主面５１には、液晶等の表示部５２と、モード切り替えスイッチ５３と、メニュー釦５４と、コントロール釦５５と、画面表示オンオフ釦５６と、スピーカー５７が設けられている。また、前記第１の主面３と前記第２の主面５１を結ぶ第２の端面（上端面）６１には、マイクロホン６２と、ズーム釦６３と、シャッター釦６４と、が設けられている。
（３）バリヤの構成、
図４に示すように、前記バリヤ７は、枠状の内側体８１と、該枠状の内側体８１に取付けられて前記スイッチ操作体２４を押圧操作するスイッチ操作体押圧部８２を設けた金属板８３と、該金属板８３を取付けた前記内側体８１の外面に両面接着シート８４等で取付けられた外側体８５と、からなっている。
【００３２】
前記内側体８１には、略四角形の切欠窓部８６が設けられていて、該切欠窓部８６に臨んで前記金属板８３が取付けられる。前記金属板８３には前記スイッチ操作体押圧部８２が切り起こし形成されていると共に、前記第１のバリヤ係合体２５の取付基部４１に設けた第１のバネ係止部４５に一端部を係止された前記トグルバネ１７の他端部を係止する第２のバネ係止部８７を設けた舌片８８が切り起こし形成されている。
【００３３】
前記金属板８３の周縁部には複数のボス挿入孔８９が設けられていて、これらボス挿入孔８９に前記内側体８１の切欠窓部８６の周縁部に設けたボス９０を挿入し、これらボス９０の先端にかしめ加工を施して拡径することにより前記金属板８３は前記内側体８１に取付けられる。
【００３４】
また、前記内側体８１の四隅部には前記筐体２の第１の主面３に接触する第１〜第４のローラ１１〜１４が配置されていると共に、移動方向の両側部には、前記ベースプレート２１に取付けた第１,第２のバリヤ係合体２５，２６が係合して移動するレール状の第１,第２のバリヤ係合体係合部９１，９２が設けられている。
【００３５】
前記第１のバリヤ係合体係合部９１は、前記内側体８１の一側部に形成した第１の長孔９３の一側部に沿って形成されている。また、前記第２のバリヤ係合体係合部９２は、前記内側体８１の一側部に形成した第２の長孔９４の一側部に沿って形成されている。前記第１,第２のバリヤ係合体２５，２６と前記レール状の第１,第２のバリヤ係合体係合部９１，９２とにより、前記第１,第２のバリヤスライドガイド部１５、１６が構成される。
（４）ローラの構成、
図５に示すように、前記第１〜第４のローラ１１〜１４は、円板状のローラ本体部９５と、該ローラ本体部９５の両側面から突出した回転中心軸９６を備えている。前記第１〜第４のローラ１１〜１４は、前記内側体８１の四隅部に設けた第１〜第４のローラ収容部９７に収容され、前記回転中心軸９６を中心にして回転自在になっている。
【００３６】
前記第１〜第４のローラ１１〜１４が回転自在に収容された前記第１〜第４のローラ収容部９７には側方から略コ字状のクリップ９８が取付けられて、前記第１〜第４のローラ１１〜１４が前記第１〜第４のローラ収容部９７から脱落するのを防止している。前記略コ字状のクリップ９８の対向する一対の辺９８ａには切欠窓９８ｂが設けられていて、該切欠窓９８ｂから前記円板状のローラ本体部９５の一部が突出している。
【００３７】
そして、前記内側体８１を前記筐体２の前記第１の主面３に重ね合わせると、前記第１〜第４のローラ１１〜１４が前記筐体２の前記第１の主面３に接触するようになっている。
（５）バリヤスライドガイド部の構成、
バリヤスライドガイド部は、文字通り前記バリヤ７の移動をガイドするものであり、図６に示すように、前記バリヤ７の一側部に第１のバリヤスライドガイド部１５が配置され、他側部に第２のバリヤスライドガイド部１６が配置されている。
【００３８】
前記第１のバリヤスライドガイド部１５は、前記筐体２に設けた第１のバリヤ係合体２５を前記内側体８１に設けたレール状の第１のバリヤ係合体係合部９１に係合させることにより構成されている。また、前記第２のバリヤスライドガイド部１６は、前記筐体２に設けた第２のバリヤ係合体２６を前記内側体８１に設けたレール状の第２のバリヤ係合体係合部９２に係合させることにより構成されている。
【００３９】
前記第１のバリヤ係合体係合部９１は、前記内側体８１の一側部に形成した第１の長孔９３を介して前記第１のバリヤ係合体２５が重ね合わされた状態で係合されて、前記第１〜第４のローラ１１〜１４を筐体２の主面３に軽く押し付けている。また、前記第２のバリヤ係合体係合部９２は、前記内側体８１の他側部に形成した第２の長孔９４を介して前記第２のバリヤ係合体２６が重ね合わされた状態で係合されて、前記第１〜第４のローラ１１〜１４を筐体２の主面３に軽く押し付けている。そして、前記第１,第２の長孔９３,９４の一側部に沿って、前記バリヤ７は、前記撮像レンズを露出させる第１の位置または撮像レンズを隠蔽する第２の位置に移動させるようになっている。
【００４０】
図６Ａに示すように、前記レール状の第１,第２のバリヤ係合体係合部９１，９２の長さ方向の一端側には、第１のストッパー１８が設けられていて、前記バリヤ７が前記第１の位置に移動したときに、前記第１のストッパー１８が前記第１,第２のバリヤ係合体２５,２６に当接して更なる移動が阻止される。また、図６（Ｂ）に示すように、前記第１,第２の長孔９３,９４の長さ方向の他端側には第２のストッパー１９が設けられていて、前記バリヤ７が前記第２の位置に移動してきたときに、前記第１,第２のバリヤ係合体２５,２６が当接して更なる移動が阻止される。なお、前記第２のバリヤ係合体係合部９２の第１,第２のストッパー部１８,１９は、前記第２，第４のローラ１２，１４が前記第２，第４のローラ収容部９７から脱落するのを防止している前記略コ字状のクリップ９８で構成されている。
（６）トグルバネの構成、
トグルバネ１７は、前記バリヤ７が前記第１の位置に在るときに前記第１,第２のバリヤ係合体２５,２６に第１のストッパー部１８を押し付けて前記バリヤ７を開放状態に維持し、前記バリヤ７が前記第２の位置に在るときに前記第１,第２のバリヤ係合体２５,２６に前記第２のストッパー部１９を押し付けて前記バリヤ７を閉塞状態に維持する。
【００４１】
図７に示すように、前記トグルバネ１７は、コイル部１７ａと、該コイル部１７ａの一端から伸びる第１のアーム部１７ｂと、前記コイル部１７ａの他端から伸びる第２のアーム部１７ｃと、からなる所謂捻りコイルバネが使用される。
【００４２】
前記トグルバネ１７の第１のアーム部１７ｂは、前記第１のバリヤ係合体２５の取付基部４１に設けた第１のバネ係止部４５に回動可能に係止されている。また、前記トグルバネ１７の第２のアーム部１７ｃは、前記内側体８１に取付けた金属板８３（図４参照）の舌片８８に設けられた第２のバネ係止部８７に回動可能に係止されている。
【００４３】
前記トグルバネ１７は、前記バリヤ７が前記第１の位置に在るときには、図６Ａに示すように、前記第１,第２のバリヤ係合体２５,２６に第１のストッパー部１８を押し付けて前記バリヤ７を開放状態に維持する。そして、前記バリヤ７を第１の位置から第２の位置に移動させて行くと、前記トグルバネ１７のコイル部１７ａが回動（反転）し、前記バリヤ７が所定の位置まで移動してくると、前記トグルバネ１７のバネ力の作用方向が逆転して、図６Ｂに示すように、前記第１,第２のバリヤ係合体２５,２６に第２のストッパー部１９を押し付けて前記バリヤ７を閉塞状態に維持する。
（７）バッテリー蓋の構成、
図８に示すように、前記第１の主面３と前記第２の主面５１を結ぶ端面６８には、前記第１の主面３と前記第２の主面５１の間に設けたバッテリー収納部６９の開口部６９ａを開閉するバッテリー蓋７０と、前記バッテリー収納部６９へのバッテリーの挿脱を許容するバッテリーリリースレバー７１と、前記バッテリー蓋７０を開いたときに該バッテリー蓋７０が重なるストラップ金具７２と、マルチコネクター接続端子７３と、を備えている。前記バッテリーリリースレバー７１は、前記バッテリー蓋７０の長さ方向の一端部の外側に並べた状態で配置されている。
【００４４】
前記バッテリー蓋７０は、軸１０１により前記筐体２に回動可能に取り付けられていて、前記軸１０１を中心にして時計方向に回動させると、図８に示すように、前記筐体２の端面６８上に重なって、前記開口部６９ａを閉じる。また、図８に示す状態から反時計方向に略１００°回動させると、図９に示すように、前記バッテリー蓋７０は、開いた状態になり前記ストラップ金具７２に重なって更なる回動を規制されて前記ストラップ金具７２によって保護される。
【００４５】
図１０に示すように、前記軸１０１は弾性を有する金属棒によって形成されていて、その一端側には前記バッテリー蓋７０の閉塞時においては該バッテリー蓋７０を前記筐体２の端面６８側に押し付け、また、前記バッテリー蓋７０の開放時においては該バッテリー蓋７０を前記ストラップ金具７２に押し付けるバネ部１０２が設けられている。前記バネ部１０２は、前記軸１０１の一端側を折り曲げることにより該軸１０１と一体に形成されていて、図１２Ａ，図１２Ｂ， 図１２Ｃに示すように筐体２側に設けたバネ当接面１０３に接触している。
【００４６】
前記バッテリー蓋７０の閉塞時においては、図１２Ａに示すように、前記バネ部１０２は、筐体２側に設けたバネ当接面１０３に接触して、前記軸１０１およびバッテリー蓋７０に矢印Ａ方向の回動力を付与して前記バッテリー蓋７０を前記筐体２の端面６８側に押し付ける。図１２Ａに示す状態から前記バッテリー蓋７０を開放方向（矢印Ｂ方向）に回動させると、前記バネ部１０２は前記バネ当接面１０３で押されて変形して行き、図１２Ｂに示すように、前記バッテリー蓋７０が所定角度、例えば４５°開いたときに前記バネ部１０２は最も変形し、前記軸１０１およびバッテリー蓋７０に回動力を付与しない中立位置にくる。図１２ Ｂに示す状態から更に前記バッテリー蓋７０を開放方向（矢印Ｂ方向）に回動させると、今度は前記バネ部１０２によって前記バッテリー蓋７０を開放させる方向（矢印Ｂ方向）のバネ力が生じ、前記バッテリー蓋７０は、図１２Ｃに示すように、前記ストラップ金具７２に押し付けられて、前記筐体２の開口部６９ａを開放した状態に維持される。
（８）バッテリーリリースレバーの構成、
前記バッテリーリリースレバー７１は、図８、図９に示すように、一端部に設けたバッテリー係合部１０６が前記バッテリー収納部６９の開口部６９ａの一部を塞ぐ位置と前記開口部６９ａを開放する位置との間でスライド可能に前記第１の端面６８に設けたレバーガイド部１０７に取付けられている。前記バッテリーリリースレバー７１は、底面側に配置されているバネ材１０８により前記バッテリー収納部６９の開口部６９ａの一部を塞ぐ位置に付勢されている。前記バッテリー係合部１０６の上面は傾斜面状に形成されていてバッテリー押出面１０６ａになっている。
【００４７】
図１３に示すように、前記バッテリーリリースレバー７１を前記バネ材１０８のバネ力に抗してバッテリー１１１を挿入するのに支障のない位置、即ち前記開口部６９ａを開放する位置まで押し戻した状態でバッテリー１１１をバッテリー収納部６９に収納する。
【００４８】
バッテリー１１１をバッテリー収納部６９に収納したのち、前記バッテリーリリースレバー７１の押し戻しを解除すると、該バッテリーリリースレバー７１は、前記バネ材１０８のバネ力で自動的に前記バッテリー収納部６９の開口部６９ａの一部を塞ぐ位置まで復帰して、バッテリー１１１がバッテリー収納部６９から抜け出るのを防止する。そして、図１４に示すように、前記バッテリー蓋７０を閉じてバッテリー１１１の挿入作業が終了する。
【００４９】
前記バッテリー蓋７０を閉じた侭の状態で、前記バッテリーリリースレバー７１を押し戻すことが可能であると、前記バッテリーリリースレバー７１が誤って押し戻されたような場合に、バッテリー１１１がバッテリー収納部６９の奥端部に設けられているバッテリー接触端子１１２のバネ力等によりバッテリー収納部６９から押し出されてしまうことがある。押し出される量が僅かであると、前記バッテリー蓋７０の存在によって、バッテリー１１１がバッテリー収納部６９内に完全に収納されていないことが明確にならない場合がある。
【００５０】
そこで、図１３に示すように、前記バッテリーリリースレバー７１に蓋係合部１１３を設ける一方、前記バッテリー蓋７０にリリースレバー係合部１１４を設け、前記バッテリー蓋７０を閉じた状態にすると、図１５に示すように、前記蓋係合部１１３の側方に前記バッテリーリリースレバー係合部１１４が位置し、前記バッテリーリリースレバー７１を押し戻し方向に移動させようとすると、前記蓋係合部１１３が前記バッテリーリリースレバー係合部１１４に係合して前記バッテリー蓋７０を閉じた侭の状態で前記バッテリーリリースレバー７１が押し戻されるのを防止するようになっている。
【００５１】
前記バッテリー収納部６９からのバッテリー１１１の取り出しは、前記バッテリー蓋７０を開いた後に、前記バッテリーリリースレバー７１を前記バネ材１０８の付勢力に抗して押し戻すことによりなされる。前記バッテリーリリースレバー７１を押し戻して、バッテリー１１１の押さえを解除すると、図１６に示すように、バッテリー１１１は前記バッテリー接触端子１１２のバネ力等によりバッテリー収納部６９から僅かに押し出された状態になる。
【００５２】
また、前記バッテリー接触端子１１２のバネ力等によりバッテリー１１１が僅かに押し出された後に、前記バッテリーリリースレバー７１をバッテリー１１１に移動させれば、図１７に示すように、前記バッテリーリリースレバー７１のバッテリー係合部１０６の上面の傾斜面状のバッテリー押出面１０６ａが前記バッテリー１１１のフレーム１１１ａに設けた傾斜面１１１ｂを押して前記バッテリー１１１を更にバッテリー収納部６９から押し出す。なお、前記バッテリー接触端子１１２およびバッテリーリリースレバー７１でバッテリー１１１をバッテリー収納部６９から押し出すことのできる量は僅かであるので、バッテリー１１１をバッテリー収納部６９からより多く突出させたい場合には、バッテリー収納部６９の奥端部に押出バネ（図示省略）を設け、該押出バネのバネ力でバッテリー１１１をバッテリー収納部６９からより多く突出させてもよい。
（９）ストラップ金具の構成、
ストラップ金具７２は、落下防止のために手首用のリストストラップや首に掛けるネックストラップ等を取り付けるための金具であり、撮影時に親指等を当てることにより筐体２を保持し易くする働きもする。
【００５３】
前記ストラップ金具７２は、図２及び図１８に示すように、前記筐体２の端面６８の前記第２の主面５１側の側縁に沿って起立させた状態に形成されていて、前記第２の主面５１側の第１の面７２ａと反対側の第２の面７２ｂが前記バッテリー蓋７０の受面になっている。前記第２の面７２ｂは、前記筐体２の端面６８またはバッテリー収納部６９の開口部６９ａに対して少なくとも９０°よりも大きな傾斜角度θで形成されている。また、前記第１の面７２ａには、前記マルチコネクター接続端子７３に、次に説明するマルチコネクター１２１を接続したときに、該マルチコネクター１２１が前記マルチコネクター接続端子７３から抜けないように、該マルチコネクター１２１の係合部１２７が係合する溝状の被係合部１１５が設けられている。また、ストラップ金具７２には、ストラップを取付けるための孔１１６が設けられている。
【００５４】
図１９は、前記マルチコネクター接続端子７３に接続するマルチコネクター１２１を示す。前記マルチコネクター１２１は、ＤＣ入力端子１２２と、ＵＳＶ端子１２３と、Ａ／Ｖ出力端子１２４を第１の側面１２１ａに備え、前記マルチコネクター接続端子７３に挿入する端子１２５と、前記ストラップ金具７２を挿入するストラップ金具挿入凹部１２６を第２の側面１２１ｂに備え、前記ストラップ金具挿入凹部１２６の内面に臨んで前記ストラップ金具７２の溝状の被係合部１１５に係合する係合部１２７を備え、前記係合部１２７の前記被係合部１１５からの係合解除操作を行う係合解除釦１２８を第３の側面１２１ｃに備えている。
【００５５】
そして、図１９に示すように、カメラ１の略真横から前記マルチコネクター接続端子７３に端子１２５を挿入すれば、図２０に示すように、前記ストラップ金具７２が自ずと前記ストラップ金具挿入凹部１２６内に挿入されるとともに、前記係合部１２７が前記被係合部１１５に係合して、前記マルチコネクター１２１をカメラ１側にロックする。
【００５６】
図２１は、前記マルチコネクター１２１の要部の断面図である。前記爪状の係合部１２７は、軸１３１を中心に回動可能になっていて、バネ１３２によって前記ストラップ金具挿入凹部１２６内に突出している。そして、前記ストラップ金具７２を前記ストラップ金具挿入凹部１２６に挿入すると、該ストラップ金具７２の先端面７２ｃで前記係合部１２７の先端の傾斜面１２７ａが押されて前記係合部１２７は、前記バネ１３２の付勢力に抗して逃げ方向に回動する。前記ストラップ金具７２が前記ストラップ金具挿入凹部１２６内に完全に挿入されて、前記ストラップ金具７２の先端面７２ｃによる前記係合部１２７の先端の傾斜面１２７ａの押圧が解除されると、前記係合部１２７は、前記バネ１３２の付勢力で自動的に回動して前記溝状の被係合部１１５に係合する。
【００５７】
前記マルチコネクター１２１をカメラ１から外す場合には、前記係合解除釦１２８を押圧すれば、図２２に示すように、前記係合部１２７は、前記バネ１３２の付勢力に抗して逃げ方向に回動して、前記溝状の被係合部１１５との係合が外れてカメラ１から取外し可能な状態になる。
【００５８】
上述のように、前記マルチコネクター１２１が前記ストラップ金具７２と係合すうように構成したので、通常、このようにマルチコネクターとストラップ金具を係合させることのない構造のものと比較して、例えば前記マルチコネクター１２１のコードが引っ張られたりして強い力が掛かっても、直接、コネクター接続部に前記力が掛からなくなり、コネクターや端子を保護することができるという効果がある。
なお、図１、図２等の撮像装置の立体図に対して、図４〜図１８等は、撮像装置の各部を平面的に見たものであり、曲面や傾斜面等については曲率半径や傾斜角度等に若干の相違があったとしてもそれは作図上のものであって同一符合部分は同一の部分を示す。また、図１、図２等の撮像装置の立体図と、図８、図９等に示す撮像装置の立体図との間において、曲面や傾斜面等については曲率半径や傾斜角度等に若干の相違があったとしてもこれも作図上のものである。また、断面図において一部、ハッチング線を省略している。
（１０）バッテリー蓋およびバッテリーリリースレバーの作用、
実施例の撮像装置は、上述のような構成であって、バッテリー１１１をバッテリー収納部６９に挿入するに際しては、先ず前記バッテリー蓋７０を開いた後に、前記バッテリーリリースレバー７１を前記バネ材１０８の付勢力に抗して押し戻してバッテリー１１１を挿入する。バッテリー１１１をバッテリー収納部６９に完全に収納したら、前記バッテリーリリースレバー７１の押し戻しを解除すると該バッテリーリリースレバー７１は、前記バネ材１０８のバネ力で自動的に前記バッテリー収納部６９の開口部６９ａの一部を塞ぐ位置まで復帰して、バッテリー１１１がバッテリー収納部６９から抜け出るのを防止する。そして、前記バッテリー蓋７０を閉じてバッテリー１１１の挿入作業が終了する。
【００５９】
前記バッテリー蓋７０を閉じた状態においても前記バッテリーリリースレバー７１は前記バッテリー蓋７０の側部に露出しているので、誤操作される危険性があるが、前述したように、前記バッテリーリリースレバー７１に蓋係合部１１３を設ける一方、前記バッテリー蓋７０にリリースレバー係合部１１４を設けたので、前記バッテリー蓋７０を閉じた状態にすると、図１５に示すように、前記蓋係合部１１３の側方に前記バッテリーリリースレバー係合部１１４が位置し、前記バッテリーリリースレバー７１を押し戻し方向に移動させようとすると、前記蓋係合部１１３が前記バッテリーリリースレバー係合部１１４に係合して前記バッテリー蓋７０を閉じた侭の状態で前記バッテリーリリースレバー７１が押し戻されるのを防止する。
【００６０】
また、前記バッテリー収納部６９からのバッテリー１１１の取り出しは、前記バッテリー蓋７０を開いた後に、前記バッテリーリリースレバー７１を前記バネ材１０８の付勢力に抗して押し戻すことによりなされる。前記バッテリーリリースレバー７１を押し戻して、バッテリー１１１の押さえを解除すると、図１６に示すように、バッテリー１１１は前記バッテリー接触端子１１２のバネ力等によりバッテリー収納部６９から僅かに押し出された状態になる。
【００６１】
前記バッテリー接触端子１１２のバネ力等によりバッテリー１１１が僅かに押し出された後に、前記バッテリーリリースレバー７１をバッテリー１１１に移動させれば、図１７に示すように、前記バッテリーリリースレバー７１のバッテリー係合部１０６の上面の傾斜面１０６ａが前記バッテリー１１１のフレーム１１１ａに設けた傾斜面１１１ｂを押して前記バッテリー１１１を更にバッテリー収納部６９から押し出す。
（１１）他の実施例
上記実施例においては、撮像装置としてのデジタルカメラを例にとって説明したが、バッテリーを使用する電子機器、例えば、携帯電話機、携帯型のゲーム機、携帯型のコンピュータ等の電子機器に広く適用される。
【図面の簡単な説明】
【００６２】
【図１Ａ】バリヤを第１の位置（開放位置）に移動させた状態の斜視図。
【図１Ｂ】バリヤを第２の位置（閉塞位置）に移動させた状態の斜視図。
【図２Ａ】カメラを背面側から見た斜視図。
【図２Ｂ】カメラを底面側から見た斜視図。
【図３】バリヤを取外した状態の斜視図。
【図４】バリヤの分解斜視図。
【図５】ローラの取付けを示す斜視図。
【図６Ａ】トグルバネの作用を示す説明図。
【図６Ｂ】トグルバネの作用を示す説明図。
【図７】トグルバネの説明図。
【図８】バッテリー蓋を閉じた状態の斜視図。
【図９】バッテリー蓋を開いた状態の斜視図。
【図１０】バッテリー蓋と軸を示す斜視図。
【図１１】バッテリー蓋に軸を取付けた状態の正面図。
【図１２Ａ】軸の一端部に設けたバネ部の作用を示す説明図。
【図１２Ｂ】軸の一端部に設けたバネ部の作用を示す説明図。
【図１２Ｃ】軸の一端部に設けたバネ部の作用を示す説明図。
【図１３】バッテリー蓋を開いてバッテリーを収納する前の状態を示す斜視図。
【図１４】バッテリーを収納しバッテリー蓋を閉じた状態を示す斜視図。
【図１５】バッテリーリリースレバーが押し戻せなくなった状態を示す説明図。
【図１６】バッテリー収納部内の端子によりバッテリーが押出された状態の説明図。
【図１７】バッテリーリリースレバーでバッテリーを押出す状態を示す説明図。
【図１８】ストラップ金具の側面図。
【図１９】カメラにマルチコネクターを取付ける前の状態の斜視図。
【図２０】カメラにマルチコネクターを取付けた状態の斜視図。
【図２１】マルチコネクターがストラップ金具にロックされている状態の断面図。
【図２２】ロックが解除された状態の断面図。
【図２３】関連技術の説明図。
【符号の説明】
【００６３】
１…デジタルカメラ、２…筐体、３…第１の主面、４…撮像レンズ、６８…筐体の端面、６９…バッテリー収納部、６９ａ…開口部、７０…バッテリー蓋、、７１…バッテリーリリースレバー、７２…ストラップ金具、１０１…軸、１０２…バネ部、１０６…バッテリー係合部、１０６ａ…傾斜面、１１１…バッテリー、１１３…バッテリー蓋係合部、１１４…バッテリーリリースレバー係合部。
【手続補正３】
【補正対象書類名】図面
【補正対象項目名】図４
【補正方法】変更
【補正の内容】
【図４】
2006186491.tif 000031
【手続補正４】
【補正対象書類名】図面
【補正対象項目名】図５
【補正方法】変更
【補正の内容】
【図５】
2006186491.tif 000032
【手続補正５】
【補正対象書類名】図面
【補正対象項目名】図６Ｂ
【補正方法】変更
【補正の内容】
【図６Ｂ】
2006186491.tif 000033
【手続補正６】
【補正対象書類名】図面
【補正対象項目名】図１８
【補正方法】変更
【補正の内容】
【図１８】
2006186491.tif 000034
【手続補正７】
【補正対象書類名】図面
【補正対象項目名】図２１
【補正方法】変更
【補正の内容】
【図２１】
2006186491.tif 000035